(57)【要約】【課題】  従来の食卓テーブルは端が丸くなっているだけで、腕の圧迫があまり軽減されなかった。また食材が増えてテーブルの上が一杯になると身動きが取れなくなって、お客様に不快感を与えていた。【解決手段】  テーブルに腕を乗せたとき、圧迫を少なくするためにコーナーに緩やかなカーブをつけて末端に柔軟性のあるゴムを固着する。テーブル面に継ぎ足し装置を取り付けて二階層の多角的な量を測る。  継ぎ足し装置の例として、食事用備品置き台や熱帯魚の水槽、ブックスタンドなどを上に設置する。【選択図】    図１
2019030409.tif 000002
【特許請求の範囲】
【請求項１】
家庭用、外食産業の業務用などの対面テーブルの面の淵に、食事者が軽く腕を置けるように柔らかいカーブをつけた化粧合板を成型して，その末端に弾力性のあるゴムなどの材料を固着して，食事をするさいの腕に加わる圧迫を小さくして身体的負担を軽くし、精神的なリスクも軽減して食事を美味しく取ることができるようにしてその場の食卓を和やかに楽しくしょうとする目的のテーブル面。
【請求項２】
テーブルを支える円柱の足の中心部を空洞化して、そこに高さ調整用の継ぎ足し装置を入るようにするとともに、継ぎ足し装置に安定感を与えるために取り付けようの埋め込みナツトを装着して、継ぎ足し装置を取り付けない場合はめくら板をして普通の平面テーブルとして使用する多用途の階層テーブル。                                          
【請求項３】
テーブルの真ん中階層テーブルの継ぎ足し装置の上部に設ける一例として、平面版の両端に窪みをつけてそこに箸やスプーンおしぼりなどの食事用備品をおいて、店舗などで食事をするお客の食器を取り扱いやすくするとともに，センターを山形に盛り上げてそこに調味料やタブレツト、メニユゥ表などを置くスペースとしてテーブルを広く活用できるようにする食事用備品置き台。
【請求項４】
食事をする客の目の憩いのためにテーブルの上の継ぎ足し装置に取り付ける長方形の水槽で、コンセントの電源を介して熱帯魚の水槽に利用したり、空の時はいろいろなものを映し出す液晶パネルを入れて多様な映像を提供したり、あるいは空気清浄機や生け花を食事客の目の前で演出させることによって食事の団欒を盛り上げる効果をアップするための上部演出装置。
【請求項５】
家庭用のテーブルとして使用するときに、テーブルに座って本を読んだりする場合に、継ぎ足し装置の上部に本立て式角度調整装置を取り付けて、置いた本をこのみの角度と高さ加減で読書をすることができるとともに、全体の本が反り返らないように片面の可動版で文字が逃げないように角度調整をするブックスタンド。
【発明の詳細な説明】
【技術分野】
【０００１】
本発明は、外食店舗の業務用テーブルと一般家庭用テーブルの利便性の向上を企画立案した発明である。
【背景技術】
【０００２】
従来の業務用テーブルまたは家庭用テーブルは、テーブルの上に皿や鍋を置いて食事をするだけのもので、食事が進むと箸やフオークそれにナプキンなどの食器であふれ、平面が狭く腕の置き場も無くなりまたテーブルの美観が損なわれていることになる。
【０００３】
従来からテーブルの平面の角を丸くして腕の当たりを柔らかくした形状が用いられていますが、これだれでは長時間テーブルの上に腕を乗せていたりすると腕の圧迫だけでなく肩が重くなったりしいては全身にストレスを及ぼす弊害があった。
【先行技術文献】
【特許文献】
【０００４】
【特許文献１】特開昭５３−０３４０６８号  公報
【特許文献２】特開昭５４−１７２６５０号  公報
【発明の概要】
【発明が解決しようとする課題】
【０００５】
家庭であるいは外食チエーンでの食事は、人間のもつとも要求の高いひとつであるが、テーブルが平面だけの簡素なもので客人のもてなしと雰囲気の盛り上げに乏しかった。一般的にただテーブルの端を丸い形状にしたものである。
【０００６】
食事は日本料理と西洋料理を問わず外食店舗で対面食事をしていると、テーブル面がいろいろな皿であふれて動きがとれなくなる。
【０００７】
食事の途中に一息入れて顔を上げても店舗の中を見渡せるだけでなにか殺風景である。
【０００８】
家庭でテーブルに向かって読書をしようとすると、平面板に本を置いて前かがみになるので姿勢が悪くなる欠点がおきる。
【課題を解決するための手段】
【０００９】
テーブル面を成型する場合、腕を置く部分に緩やかなカーブをつけて成型すると共に、その末端に柔軟性のあるゴムなどを固着する。
【００１０】
テーブル面の中心に円筒状の筒を設置して、テーブル面とその上部に二階建て構造の備品を取り付けられるように高さ調整機能のついた継ぎ足し装置をテーブル面に取り付ける。
【００１１】
継ぎ足し装置の上部ある埋め込みナツトに長方形の枠の水槽を取り付けて、目線の高さで熱帯魚や生け花を観賞する。
【００１２】
継ぎ足し装置の上部にある埋め込みナツトにブックスタンドを取り付けて、本立て板の背面に設けた角度調整装置で読書をする。
【発明の効果】
【００１３】
広く見られるテーブル面の端を丸くした構造のものでは、腕を長時間乗せた状態では肩にまで圧迫がかかり、精神的なストレスが全身に及ぼす。
テーブル面の腕を置く部分に緩やかな曲線を描く面を成型して、その末端に柔軟性のあるゴムなどを固着すると腕に力を加えた状態でも優しく反応して、疲労感が少なくなる。
このテーブル面の構造は、単に食事用だけでなく応用がスタンデングテーブルや電気ホームコタツの上板などに幅広く利用することができる。
市場にはまだこのような製品が出回っていず、新しい産業の構築と雇用の促進を図ることができる。
【００１４】
テーブルをいろいろな用途に利用活用するために、テーブルの中心に継ぎ足し装置を利用すると、テーブルを二階構造にすることができ、テーブル面を上下にものを置いて広く使うことができる。
装置がいらないときはめくら板をかぶせて、普通のテーブルとして使うことができる。
【００１５】
継ぎ足し装置の上部に湾曲の食事用備品置き台を設置すると、一段目に箸やフオークを用意することができて、その上部にはナプキンやメニュウ帳などを並べてテーブル自体を食事のために幅広く活用することができる。
【００１６】
継ぎ足し装置の上部に長方形の熱帯魚の水槽をとりつけると、お客様が食事の合間に一息入れたときなど、リラツクス効果が上がり店舗の存在を高めることができる。
水槽として使わない場合は、生け花や液晶画面を用いて、お客様にくつろぎ感を持ってもらうことができ、食事を美味しく味わってもらうことができる。
店舗の高感度をあげることができて、来客を増やすことができる。
【００１７】
テーブルの上で読書がしたいとき、継ぎ足し装置の上部に本発明のブックスタンドを取り付けると、目線による高さ調整と角度調整をすることができて、読書の姿勢を平易にして体に余分な力が加わらず疲れが少なくなる。
この装置は継ぎ足しようの高さ調整機能を支柱に用いることによって、普通の平面デスクの本立てとして単独で使用することができる。
姿勢が極端な前形態性にならず、この製品が学力の向上と新商品として市場の活成果に貢献することができる。
【図面の簡単な説明】
【００１８】
【図１】多用途テーブルの側面図
【図２】多用途テーブルの正面図
【図３】継ぎ足し装置上部の食事用備品置き台の図
【図４】継ぎ足し装置上部の熱帯魚の水槽の図
【図５】継ぎ足し装置上部のブックスタンド正面図
【図６】ブックスタンドの側面図
【図７】ブックスタンド本立て上部の角度調整装置の図
【発明を実施するための形態】
【００１９】
従来のテーブルは端が丸くなっただけのものですが、それでは腕にかかる圧迫が大きい。テーブル面の成型時に図１の７のような緩やかな曲面を設け、その末端８に柔軟性のあるゴムなどを固着することによってテーブルに乗せた腕がなだらかになり、圧迫が軽減されて疲労が少なくなる。
またテーブル面の平面とゆるやかな曲線面の境界面から末端までを、柔軟性のあるゴムなどで固着した方法でもって、腕の押さえの材質部分の柔軟性の強度を変化させると、腕や肩により圧迫の軽減した効果を得ることができる。
【００２０】
外食産業のテーブルを多角的に使用するために、テーブル面を二階構造として活用することを目的とする。
図１の継ぎ足し装置の高さを調整する装置を取り付ける工程で、テーブルに６埋め込みナツトと１３円筒形のスペースを設ける。
継ぎ足し装置の上部は９固定ナツトと１コンセントをもうけていろいろなものを取り付けられる固定台である。
４固定用円筒の内側を１０可動用円筒が上下することによって高さを調整する。
高さ調整は３バンドを１１の締め付け用ホルダーとボルトによって加減する。
１０円筒の筒の空洞を１２電気コードが通る。
【００２１】
図３は高さ調整装置の上部に取り付ける食事用備品置き台である。
１６の上部置き台にはナプキンや調味料などを置くことができ、その下の１７の台にはスプーンや箸などを準備しておくことができてテーブル面を広く有効に使用できる。
【００２２】
図４は熱帯魚の水槽図を示し、２０継ぎ足し台に取り付ける固定金具に開けた１８の穴でもって取り付ける。
【００２３】
図５はテーブルの上で読書をするときに使うつぎたしブックスタンドの正面図を表わし、２３固定ブックスタンドと２７角度変更板の前に本を載せて読書をすることができる。
１１は本を見る角度を調整する締め付けようホルダーとボルトを表わし、本のせ板から伸びる２４背面支え板を締め付けることによって角度を変えることができる。
２８は角度調整用の回転カラーリングで２９回転用ピンとの効果で２７の板が動く。
【００２４】
図７はブックスタンドの右側角度調整板と連動させて、角度の固定をより高めて安定させるために板の上部に設置した角度調整装置の図。
２３と２７本立て板の上部にわたって２２角度調整金具を取り付ける。
２１は金具の固定ピンで２６ブックスタンド角度調整ネジを緩めたり締め付けたりすることによって、２９回転用ピンの作用によって開いた本の角度を調整することができる。
【００２５】
外食用業務テーブルにおいて、図１の７腕の当たる部分を緩やかなカーブと８柔軟性のあるゴムなどで設置していると、着席したときのお客様の抵抗感が少なくなる。
食事のメニユーが多くなり、皿やカップが増えるとテーブルが狭くなるので、そのような場合は継ぎ足し用食器置き台を取り付けるとテーブル面を二層に使えて広くなるので話も弾むようになる。
【００２６】
あまり食器が多くないときは，継ぎ足し装置の上部に熱帯魚の水槽を備えておくとお客様の心が和やかになり、食事も美味しく進むことができる。
【００２７】
お客様の中にはお店に一服と読書をかねてこられる方もいるので、そのような時はサービスとして継ぎ足しブックスタンドを用意すると店の格が上がり信用が向上する。
【産業上の利用可能性】
【００２８】
外食用の業務テーブル  一般家庭用テーブル  学習用のテーブル  スタンデングテーブル  ホームコタツの天板  会議用テーブルなど
【符号の説明】
【００２９】
１  コンセント
２  固定用ピン
３  高さ調整用のバンド
４  固定用外側円筒
５  継ぎ足し台固定用ボルト
６  埋め込みナツト
７  湾曲型テーブル面
８  柔軟弾性体
９  継ぎ足し装置の固定ナツト
１０  可動用内側円筒
１１  締め付けようホルダーとボルト
１２  電気用コード
１３  可動用円筒のテーブル面スペース
１４  テーブルの脚
１５  継ぎ足し用品の固定台
１６  食事用備品ナプキン置き台
１７  食事用備品の箸などの置き台
１８  継ぎ足し固定台に取り付ける穴
１９  水槽の枠
２０  継ぎ足し台固定用金具
２１  角度調整用の固定ピン
２２  角度調整用金具
２３  固定ブックスタンドの板
２４  背面支え板
２５  角度調整用ナツト
２６  ブックスタンド角度調整ネジ
２７  角度変更板
２８  角度調整用の回転カラーリング
２９  回転用ピン
３０  本のせ板
【図１】
2019030409.tif 000003
【図２】
2019030409.tif 000004
【図３】
2019030409.tif 000005
【図４】
2019030409.tif 000006
【図５】
2019030409.tif 000007
【図６】
2019030409.tif 000008
【図７】
2019030409.tif 000009